(57)【要約】【課題】加湿運転中は、水槽内にある水が常時スケール析出濃度以下に保ち、また、運転停止中は、菌やカビの発生を抑制できる加湿装置を提供すすることを目的とする。【解決手段】水槽７の貯留水に下部を浸し、空気風路３内に水平方向に回転可能に軸支される中空円筒状の加湿フィルタ１７とを備え、水槽７には水位を検知できる水位検知手段２１と、演算制御手段２３を設ける。演算制御手段２３によって、給水完了後に所定以下の水位になる場合または運転停止の場合には水槽７内の水を完全に排水する。このような構成により、加湿運転中には水槽７内にある水が常時スケール析出濃度以下に保ち、また、運転停止中は、菌やカビの発生を抑制することができる加湿装置を提供できる。【選択図】図１
2010196971.tif 000002
【特許請求の範囲】
【請求項１】
吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽には水位を検知できる水位検知手段を設け、前記本体に設けられた演算制御手段により給水完了後に所定以下の水位になる場合または運転停止の場合は水槽内の水を完全に排水し、加湿運転が継続であれば完全排水後に給水を開始させる構成とした加湿装置。
【請求項２】
吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽にはイオン濃度を検知できる濃度検知手段を設け、前記本体に設けられた演算制御手段により給水完了後に所定以上の濃度になる場合または運転停止の場合は水槽内の水を完全に排水し、加湿運転が継続であれば完全排水後に給水を開始させる構成とした加湿装置。
【請求項３】
給水手段が加湿フィルタを洗浄できるようにノズルを設けた構成とした請求項１または２記載の加湿装置。
【請求項４】
加湿運転中の空気の流れ方向と逆になるように給水手段が加湿フィルタの中空円筒内にノズルを設け、加湿フィルタの内側から洗浄可能である構成とした請求項３記載の加湿装置。
【請求項５】
給水手段の下流側先端である給水口から給水している間、加湿フィルタが回転している構成とした請求項３または４記載の加湿装置。
【請求項６】
給水手段の下流側先端である給水口の位置を水槽の底面付近で前記水槽にある排水手段の排水取入口に対し最も遠い位置に備え排水完了後に洗浄モードを設け一定時間給水と排水を同時に行う構成とした請求項１〜５いずれかに記載の加湿装置。
【請求項７】
洗浄モードの場合は送風手段が停止している構成とした請求項６記載の加湿装置。
【請求項８】
加湿運転開始時に加湿フィルタが完全に濡れてから送風手段で送風させる構成とした請求項１〜７いずれかに記載の加湿装置。
【請求項９】
加湿運転開始時に加湿フィルタが加湿運転時よりも早い速度で回転し加湿フィルタが完全に濡れてから送風手段を運転させる構成とした請求項８記載の加湿装置。
【請求項１０】
加湿運転開始時に加湿フィルタが一回転以上してから送風手段で送風させる構成とした請求項９記載の加湿装置。
【発明の詳細な説明】
【技術分野】
【０００１】
本発明は、気化式による加湿する加湿装置に関するものである。
【背景技術】
【０００２】
従来、この種の加湿装置は、加湿メディアの形状が終端のないロール形状や面形状であり、この加湿メディアを回転させることで加湿メディアの一部が水槽の貯水に触れるようにし、加湿メディア全体に保水させて空気を流すことで気化蒸発させる加湿する構造がよく知られている（例えば、特許文献１または２参照）。
【０００３】
以下、その構造について図４および図５を参照しながら説明する。
【０００４】
図に示すように、加湿装置の構成は、気化蒸発させるための加湿メディア１０１の一部が水に浸せる水槽１０２を有し、水槽１０２には一定以上の水位ならなければ排水できないオーバーフロー出口１０３を備え、給水管系１０４から給水され、駆動ローラ１０５により加湿メディア１０１を回転させ加湿湿メディア全体を保水し、送風機１０６で強制送風すること気化蒸発により加湿できる構造としたものである。
【０００５】
また、文献２にある事例では、加湿メディア１０１である気化フィルタ１１１が吸水性の良いシート状のプリーツ折して形成され、気化フィルタ１１１の下部を水槽１１２内の水に浸漬させ、支点１１３を中心に回転させることで連続的に気化蒸発した加湿を可能にできる構造としたものである。
【特許文献１】実開平３−１１６３５号のマイクロフィルム（図１）
【特許文献２】特許第３７７６４２４号公報（図５）
【発明の開示】
【発明が解決しようとする課題】
【０００６】
このような従来の加湿装置では、加湿運転や長期の運転停止時に気化蒸発するため水槽内の水のスケール成分濃度（Ｃａ、Ｍｇ等）が上昇して最終的にはスケール成分が析出するため、加湿運転時の送風によりに室内にスケール成分が吹出し、また、運転停止中に水槽に水が残っていると菌やカビの繁殖を冗長させることも不衛生であった。
【０００７】
また、加湿運転中の埃が加湿フィルタに付着し、加湿フィルタを目詰まりさせ加湿効率が低下する原因であった。
【０００８】
また、加湿フィルタが乾燥しているときに送風すると、加湿フィルタに付着した臭いが空気の流れに乗り室内側に臭いを感じさせ不快感を与えるものであった。
【０００９】
本発明は、このような従来の課題を解決するものであり、加湿運転中は、水槽内にある水が常時スケール析出濃度以下に保たれ、水槽内にスケール成分が析出することがなく室内にスケール成分の結晶が吹出すことがなく、また、運転停止中は、水槽内には水が完全にない状態にするため、菌やカビの発生を抑制することができ衛生面を改善するものであり、また、加湿フィルタに付着した埃を洗浄でき、加湿フィルタの目詰まりを防止することにより加湿効率を維持しでき、さらに加湿運転開始時に必ず加湿フィルタが保水され濡れているため送風が加湿フィルタに当っても臭い成分は水に溶け込み空気中への移行を抑制することができ臭いによる不快感を低減できる加湿装置を提供することを目的としている。
【課題を解決するための手段】
【００１０】
本発明の加湿換気装置は上記目的を達成するために、吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽には水位を検知できる水位検知手段を設け、前記本体に設けられた演算制御手段により給水完了後に所定以下の水位になる場合または運転停止の場合は水槽内の水を完全に排水し、加湿運転が継続であれば完全排水後に給水を開始させる構成としたものである。
【００１１】
この手段により加湿運転中は、水槽内にある水が常時スケール析出濃度以下に保たれ、水槽内にスケール成分が析出することが無く室内にスケール成分の結晶が吹出すことがなく、また運転停止中は水槽内には水が完全にない状態にするため、菌やカビの発生を抑制することができ衛生面が改善できる加湿装置が得られる。
【００１２】
また他の手段は、吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽にはイオン濃度を検知できる濃度検知手段を設け、前記本体に設けられた演算制御手段により給水完了後に所定以上の濃度になる場合または運転停止の場合は水槽内の水を完全に排水し、加湿運転が継続であれば完全排水後に給水を開始させることを特徴とするものである。
【００１３】
これにより、加湿運転中は、水槽内にある水が常時スケール析出濃度以下に保たれ、水槽内にスケール成分が析出することが無く室内にスケール成分の結晶が吹出すことがなく、また、運転停止中は、水槽内には水が完全にない状態にするため、菌やカビの発生を抑制することができ衛生面が改善できる加湿装置が得られる。
【００１４】
また、他の手段は、給水手段が加湿フィルタを洗浄できるようにノズルを設けたことを特徴とするものである。
【００１５】
これにより、給水をする度に水道水が加湿フィルタに吹きつけられ、加湿運転中に付着した埃を洗浄することにより菌やカビの繁殖を抑制することができ衛生面が改善できる加湿装置が得られる。
【００１６】
また他の手段は、加湿運転中の空気の流れ方向と逆になるように給水手段が加湿フィルタの中空円筒内にノズルを設け、加湿フィルタの内側から洗浄可能であることを特徴とするものである。
【００１７】
これにより、給水をする度に水道水が加湿フィルタに吹きつけられ、加湿運転中に付着した埃を付着した方向とは逆方向から洗浄することにより埃を効果的に除去し、菌やカビの繁殖を抑制することができ衛生面が改善できる加湿装置が得られる。
【００１８】
また他の手段は、給水手段の下流側先端である給水口から給水している間、加湿フィルタが回転している構成としたことを特徴とするものである。
【００１９】
これにより、給水をする度に水道水が加湿フィルタに吹きつけられ、加湿運転中に付着した埃を付着した方向とは逆方向から加湿フィルタ全周を洗浄することにより埃を効果的に除去し、菌やカビの繁殖を抑制することができ衛生面が改善できる加湿装置が得られる。
【００２０】
また他の手段は、給水手段の下流側先端である給水口の位置を水槽の底面付近で前記水槽にある排水手段の排水取入口に対し最も遠い位置に備え排水完了後に洗浄モードを設け一定時間給水と排水を同時に行う構成としたことを特徴としたものである。
【００２１】
これにより、水槽内の水を排水完了した場合に残った埃やスケール成分洗い流すことができ水槽内を衛生的に保つことができる加湿換置が得られる。
【００２２】
また他の手段は、洗浄モードの場合は送風手段が停止していることを特徴とするものである。
【００２３】
これにより、空気の流れがなくなり洗浄モード中は加湿フィルタに空気中の埃を吸込み付着することを極力防止でき洗浄効果を向上できる加湿装置が得られる。
【００２４】
また他の手段は、加湿運転開始時に加湿フィルタが完全に濡れてから送風手段で送風させることを特徴とするものである。
【００２５】
これにより、送風する場合には、必ず加湿フィルタが保水され濡れているため送風が加湿フィルタに当っても臭い成分は水に溶け込み空気中への移行を抑制することができ臭いによる不快感を低減できる加湿装置が得られる。
【００２６】
また、他の手段は、加湿運転開始時に加湿フィルタが加湿運転時よりも早い速度で回転し加湿フィルタが完全に濡れてから送風手段を運転させることを特徴とするものである。
【００２７】
これにより、送風する場合には、必ず加湿フィルタが保水され濡れているため送風が加湿フィルタに当っても臭い成分は水に溶け込み空気中への移行を抑制することができ臭いによる不快感を低減でき、加湿フィルタへの保水できる時間を早め送風を伴う加湿運転の立ち上げを早くできる加湿装置が得られる。
【００２８】
また、他の手段は、加湿運転開始時に加湿フィルタが一回転以上してから送風手段で送風させる構成としたことを特徴とするものである。
【００２９】
これにより、送風する場合には、必ず加湿フィルタが保水され濡れているため送風が加湿フィルタに当っても臭い成分は水に溶け込み空気中への移行を抑制することができ臭いによる不快感を低減できる加湿装置が得られる。
【発明の効果】
【００３０】
本発明によれば、加湿運転中は、水槽内にある水が常時スケール析出濃度以下に保たれ、水槽内にスケール成分が析出することがなく室内にスケール成分の結晶が吹出すことがなく、また、運転停止中は、水槽内には水が完全にない状態にするため、菌やカビの発生を抑制することができ衛生面を改善できる加湿装置を提供できる。
【００３１】
また、加湿フィルタに付着した埃を洗浄でき、加湿フィルタの目詰まりを防止することにより加湿効率を維持しできる加湿装置を提供できる。
【００３２】
また、加湿運転開始時に、必ず加湿フィルタが保水され濡れているため送風が加湿フィルタに当っても臭い成分は水に溶け込み空気中への移行を抑制することができ臭いによる不快感を低減できる加湿装置を提供できる。
【発明を実施するための最良の形態】
【００３３】
本発明は、吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽には水位を検知できる水位検知手段を設け、前記本体に設けられた演算制御手段により給水完了後に所定以下の水位になる場合または運転停止の場合は水槽内の水を完全に排水し、加湿運転が継続であれば完全排水後に給水を開始させる構成としたことを特徴とするものであり、加湿運転中に水槽内の水位を検知する検知手段がスケール成分（Ｃａ、Ｍｇ等）が析出するに至らない濃度の所定水位を検知し、排水弁手段で完全に排水後、給水手段で水槽を満水にするまで給水するため水槽内ではスケール成分の析出がなく、また運転停止時には、この排水のみ実施し給水は行わないため、水槽内を乾燥状態に保つことができ菌やカビの発生を抑制する作用を有する。
【００３４】
また、請求項２記載の発明は吸込口と吹出口を連通し形成された空気風路に送風手段を設けた本体と、前記空気風路に設けた水槽と、水槽に給水するため給水手段と水槽から排水するための排水手段を設け、前記水槽の貯留水に下部を浸し、前記空気風路内に回転可能で水平方向に軸支される中空円筒状の加湿フィルタと、この加湿フィルタを連続回転する回転手段とを備え、前記水槽にはイオン濃度を検知できる濃度検知手段を設け、前記本体に設けられた演算制御手段により給水完了後に所定以上の濃度になる場合または運転停止の場合は水槽内の水を完全に排水し、加湿運転が継続であれば完全排水後に給水を開始させる構成ことを特徴とするものであり、加湿運転中に水槽内の水位を検知する検知手段がスケール成分（Ｃａ、Ｍｇ等）が析出するに至らない濃度の所定水位を検知し、排水弁手段で完全に排水後、給水手段で水槽を満水にするまで給水するため水槽内ではスケール成分の析出がなく、また運転停止時には、この排水のみ実施し給水は行わないため、水槽内を乾燥状態に保つことができ菌やカビの発生を抑制する作用を有する。
【００３５】
また、請求項３記載の発明は、給水手段が加湿フィルタを洗浄できるようにノズルを設けたことを特徴とするものであり、給水手段の下流側先端にあるノズルから水道水が勢いよく噴霧され加湿フィルタに吹きつけながら水槽が所定水位になるまで給水されるため、加湿運転中に付着した埃を洗浄し菌やカビの繁殖を抑制する作用を有する。
【００３６】
また、請求項４記載の発明は、加湿運転中の空気の流れ方向と逆になるように給水手段が加湿フィルタの中空円筒内にノズルを設け、加湿フィルタの内側から洗浄可能であることを特徴とするものであり、加湿運転中の空気の流れ方向と逆になるように給水手段の下流側先端にあるノズルが加湿フィルタの中空円筒内から水道水が勢いよく噴霧され加湿フィルタに吹きつけながら水槽が所定水位になるまで給水されるため、加湿運転中に付着した埃を洗浄し菌やカビの繁殖を抑制する作用を有する。
【００３７】
また、請求項５記載の発明は、給水手段の下流側先端である給水口から給水している間、加湿フィルタが回転していることを特徴とするのであり、加湿運転中の空気の流れ方向と逆になるように給水手段の下流側先端にあるノズルが加湿フィルタの中空円筒内から水道水が勢いよく噴霧され、加湿フィルタが回転し全周に吹きつけるまで給水されるため、加湿運転中に付着した埃を洗浄し菌やカビの繁殖を抑制する作用を有する。
【００３８】
また、請求項６記載の発明は、給水手段の下流側先端である給水口の位置を水槽の底面付近で前記水槽にある排水手段の排水取入口に対し最も遠い位置に備え排水完了後に洗浄モードを設け一定時間給水と排水を同時に行うことを特徴とすものであり、排水が完了すると洗浄モードとして給水手段の下流側先端である給水口から水道水が供給され、水槽の底面を満遍なく流れ排水取入口に流れるため、水槽内の水を排水完了した場合に残った埃やスケール成分洗い流すことができる作用を有する。
【００３９】
また、請求項７記載の発明は、洗浄モードの場合は送風手段が停止していることを特徴とするものであり、洗浄モード時に送風手段が停止し空気の流れがなく、加湿フィルタまたは水槽を洗浄されるため、加湿運転中に付着した埃を洗浄し菌やカビの繁殖を抑制する作用を有する。
【００４０】
また、請求項８記載の発明は、加湿運転開始時に加湿フィルタが完全に濡れてから送風手段で送風させることを特徴とするものであり、加湿運転時、給水を行い加湿フィルタが完全に保水された後に送風手段による送風運転を開始するため、加湿フィルタに付着した臭い成分は水に溶け込み空気中への移行を抑制する作用を有する。
【００４１】
また、請求項９記載の発明は、加湿運転開始時に加湿フィルタが加湿運転時よりも早い速度で回転し加湿フィルタが完全に濡れてから送風手段を運転させることを特徴とするものであり、加湿運転時、給水を行い加湿フィルタが加湿運転時より早い速度で一回転させ加湿フィルタが完全に保水された後に送風手段による送風運転を開始するため、加湿フィルタに付着した臭い成分は水に溶け込み空気中への移行を抑制でき、加湿運転の立ち上げを早くできるという作用を有する。
【００４２】
また、請求項１０記載の発明は、加湿運転開始時に加湿フィルタが一回転以上してから送風手段で送風させることを特徴とするものであり、加湿運転時、給水を行い加湿フィルタが一回転することにより加湿フィルタが完全に保水された後に送風手段による送風運転を開始するため、加湿フィルタに付着した臭い成分は水に溶け込み空気中への移行を抑制する作用を有する。
【実施例】
【００４３】
以下、本発明の加湿装置の一実施例を図面に基づいて説明する。
【００４４】
（実施例１）
図１に示すように、加湿装置の全体構成は、ダクト搬送できるように吸込口１と吹出口２を連通し形成された空気風路３にシロッコファン４である送風手段５を設けた本体６と、この空気風路３に水槽７を設け、この水槽７に給水するため本体６に設けた給水接続口８と給水弁９が配管で繋がり、この給水弁９の残り一端から水槽７へに向かう給水口１０からなる給水手段１１を設けている。また、排水するために水槽７の底面の最も低い位置に排水口１２を有し、排水弁１３と本体６に設けられた排水接続口１４とをそれぞれ配管で繋いだ排水手段１５を備え、この水槽７の給水手段１１により貯めた貯留水１６に下部を浸し、空気風路３内に水平方向に回転可能に軸支される中空円筒状の加湿フィルタ１７を備え、またこの加湿フィルタ１７を連続回転させるタイミングモータ１８が回転手段１９として備えられている。また、水槽７には水位を検知するためのフロートスイッチＡ２０ａ、フロートスイッチＢ２０ｂからなる水位検知手段２１を設け、本体６には水位検知手段２１の情報をもとに演算してシロッコファン４と給水弁９と排水弁１３および加湿フィルタ１７を回転させるタイミングモータ１８をおのおの制御できる制御部２２からなる演算制御手段２３が設けられた構造としている。なお、本体６内にある送風手段５は加湿フィルタ１７の上流側でも下流側に位置しても構わない。さらに、本体６の機外にありダクト接続により、本体６の上流側でも下流側に位置されても構わない。
【００４５】
このような構成において、加湿運転をする場合、送風手段５であるシロッコファン４が回転し、空気が吸込口１から吸い込まれ空気風路３内にある加湿フィルタ１７を通過し吹出口２へ流れ室内へ送風を開始する。水槽７には貯留水１６がないためフロートスイッチＡ２０ａ、フロートスイッチＢ２０ｂは下端に位置し、演算制御手段２３である制御部２２からの指令により給水弁９を開け、給水口１０から水道水を水槽７に給水する。この給水により水槽７内の貯留水１６水位の上昇に伴い、フロートスイッチＡ２０ａも上昇し上端で満水位であることを検知すると制御部２２から給水弁９を閉にして給水を終了する。また、加湿フィルタ１７も加湿運転と同時に回転を開始し、貯留水１６の上昇に伴い加湿フィルタ１７の底部が水に浸漬し加湿フィルタ１７の全周が水で濡れた状態になり、この円筒状の加湿フィルタ１７内を空気が通過することにより水は気化蒸発し高湿度に加湿された空気を供給することができるのである。ここで貯留水１６の水位が満水位に対し１／３である水量の水位をフロートスイッチＢ２０ｂで検知すると制御部２２から排水弁１３を開け排水を開始し、水槽７の貯留水１６は排水口から完全に排水される。排水時間は制御部２２のタイマー（図示せず）により一定時間で排水弁１３を閉じ排水完了とする。このとき加湿フィルタ１７はタイミングモータ１８により回転を継続したままであり、排水完了後、給水弁９を開き、貯留水１６が満水位になるまで給水し、加湿運転中はこれらの一連の動作を繰り返すことになる。また、貯留水１６の水位にかかわらず加湿運転を停止した場合は、シロッコファン４および加湿フィルタ１７のタイミングモータ１８を停止させ、排水弁１３を開け排水を開始し、水槽７の貯留水１６は排水口から完全に排水され後に排水弁１３を閉じて停止状態となる。
【００４６】
ここで、加湿フィルタ１７のタイミングモータ１８とシロッコファン４は加湿フィルタが乾燥するまで運転させた後に停止しても良い。
【００４７】
上記作用についてさらに詳しく説明すると、水道水の基準はスケール成分である硬度（Ｃａ、Ｍｇ等）は３００ｍｇ／Ｌ以下であり、スケール成分が析出する濃度は約１０００ｍｇ／Ｌである。また、加湿運転では加湿フィルタ１７に保水され気化蒸発し水は減少するが硬度成分は水槽７に残ったままであり、水槽７の貯留水１６の水量が１／３になるとスケール成分濃度は９００ｍｇ／Ｌになり析出濃度に近くなるが析出までは至らないため、水槽７内でのスケール成分の析出がなく、シロッコファン４を運転しても室内に析出したスケール成分が飛んでいくことはなく、また、停止時は水槽７内に貯留水１６はなく乾燥状態のため菌やカビが繁殖することを抑制できるという効果がある。
【００４８】
（実施例２）
以下、本発明の加湿装置における他の実施例を図面に基づいて説明する。なお、上記実施例と同一機能を有する構成には同一符号を付して説明を省略する。また下記の実施例で図示しないその他の構成については上記実施例と同様の構成をしている。
【００４９】
図２に示すように、図１と異なる点は、フロートスイッチＡ２０ａ、Ｂ２０ｂの代わりに導電率測定部２４を水槽７の底部に設けてなるようにしている。
【００５０】
上記構成によれば、加湿運転をする場合、送風手段５であるシロッコファン４が回転し、空気が吸込口１から吸い込まれ空気風路３内にある加湿フィルタ１７を通過し吹出口２へ流れ室内へ送風を開始する。水槽７には貯留水１６がないため演算制御手段２３である制御部２２からの指令により給水弁９を開け、給水時間は制御部２２のタイマー（図示せず）で水槽７に水道水を一定時間で給水を完了する。給水時間は、加湿フィルタ１７の底部が浸漬され、水槽７から溢れない様な貯留水１６の水位としている。また、加湿フィルタ１７も加湿運転と同時に回転を開始し、貯留水１６の上昇に伴い加湿フィルタ１７の底部が水に浸漬され加湿フィルタ１７の全周が水で濡れた状態になり、この円筒状の加湿フィルタ１７内を空気が通過することにより水は気化蒸発し高湿度に加湿された空気を供給することができるのである。満水位である給水完了時に水槽７に溜まった貯留水１６の導電率を導電率測定部２４により検知し、初期値として制御部２２で記憶する。この導電率の初期値に対し３倍以上大きな導電率を導電率測定部２４が検知すると制御部２２から排水弁１３を開け排水を開始し、水槽７の貯留水１６は排水口から完全に排水される。排水時間は制御部２２のタイマー（図示せず）により一定時間で排水弁１３を閉じ排水完了とする。このとき加湿フィルタ１７はタイミングモータ１８により回転を継続したままである。排水完了後、給水弁９を開き、貯留水１６が満水位になるまで給水し、満水位である給水完了時に導電率が初期化され、加湿運転中はこれらの一連の動作を繰り返すことになる。また、貯留水１６の水位にかかわらず加湿運転を停止した場合は、シロッコファン４および加湿フィルタ１７のタイミングモータ１８を停止させ、排水弁１３を開け排水を開始し、水槽７の貯留水１６は排水口から完全に排水され後に排水弁１３を閉じ停止状態となる。
【００５１】
上記作用についてさらに詳しく説明すると、給水直後の水道水の導電率にはバラツキがあるが１００〜２００μＳ／ｃｍであり、実施例１と同様にスケール成分が析出しない濃度にするには３００〜６００μＳ／ｃｍとなり、加湿運転していても貯留水１６の濃度は析出濃度に近くなるが析出までは至らないため、水槽７内でのスケール成分の析出がなく、シロッコファン４を運転しても室内に析出したスケール成分が飛んでいくことはなく、また、停止時は水槽７内に貯留水１６はなく乾燥状態のため菌やカビが繁殖することを抑制できるという効果がある。
【００５２】
（実施例３）
図３に示すように、空気風路３に水槽７を設け、この水槽７に給水するため本体６に設けた給水接続口８と給水弁９が配管で繋がり、この給水弁９の残り一端にノズル２５が設けられ加湿フィルタ１７の表面に水道水を噴霧できる構造としている。
【００５３】
上記構成によれば、加湿運転または停止運転は実施例１〜２と同様のため省略し、給水口から給水される部分についてのみ説明をする。給水が開始されると水道水が水道水の水圧を利用してノズル２５から水道水が噴霧され加湿フィルタ１７へ吹き付けられる。このように給水される毎に加湿フィルタ１７に噴霧されるため加湿フィルタ１７に付着した埃等が洗い流され菌やカビの繁殖を抑制でき加湿フィルタを衛生的に保つことができるという効果がある。
【００５４】
また、給水している間に加湿フィルタ１７をタイミングモータ１８で回転させるため加湿フィルタ１７の全周を洗浄することができ加湿フィルタを衛生的に保つことができるという効果がある。
【００５５】
（実施例４）
図４に示すように、空気風路３に水槽７を設け、この水槽７に給水するため本体６に設けた給水接続口８と給水弁９が配管で繋がり、この給水弁９の残り一端にノズル２５になっており、このノズル２５が加湿フィルタ１７の中空円筒内の内側に設けられ加湿フィルタ１７の内側から水道水を噴霧できる構造としている。
【００５６】
上記構成によれば、加湿運転または停止運転は実施例１〜２と同様のため省略し、給水口から給水される部分についてのみ説明をする。給水が開始されると水道水が水道水の水圧を利用してノズル２５から水道水が噴霧され加湿フィルタ１７の内側より外側へ向かって吹き付けられる。このように給水される毎に加湿フィルタ１７の中空円筒内の内側から噴霧されるため加湿フィルタ１７の外側に付着した埃等が洗い流され菌やカビの繁殖を抑制でき加湿フィルタを衛生的に保つことができるという効果がある。また、給水している間に加湿フィルタ１７をタイミングモータ１８で回転させるため加湿フィルタ１７の全周を洗浄することができ加湿フィルタを衛生的に保つことができるという効果がある。
【００５７】
（実施例５）
図５に示すように、空気風路３に水槽７を設け、排水するために水槽７の底面の最も低い位置に排水口１２を備え、この水槽７の内側で排水口１２と最も遠い位置に給水口１０を設け、排水動作完了後に１分間、排水弁１３は開いたままで給水弁９を開き水槽７の底面を全面に流れるようにした洗浄モードを設けた構造としている。
【００５８】
上記構成によれば、加湿運転をする場合、送風手段５であるシロッコファン４が回転し、空気が吸込口１から吸い込まれ空気風路３内にある加湿フィルタ１７を通過し吹出口２へ流れ室内へ送風を開始する。水槽７には貯留水１６がないためフロートスイッチＡ２０ａ、Ｂ２０ｂは下端に位置し、演算制御手段２３である制御部２２からの指令により給水弁９を開け、給水口１０から水道水を水槽７に給水する。この給水により水槽７内の貯留水１６水位の上昇に伴い、フロートスイッチＡ２０ａも上昇し上端で満水位であることを検知すると制御部２２から給水弁９を閉にして給水を終了する。また、加湿フィルタ１７も加湿運転と同時に回転を開始し、貯留水１６の上昇に伴い加湿フィルタ１７の底部が水に浸漬し加湿フィルタ１７の全周が水に濡れた状態になり、この円筒状の加湿フィルタ１７内を空気が通過することにより水は気化蒸発し高湿度に加湿された空気を供給することができるのである。ここで貯留水１６の水位が満水位に対し１／３である水量の水位をフロートスイッチＢ２０ｂで検知すると制御部２２から排水弁１３を開け排水を開始し、水槽７の貯留水１６は排水口から完全に排水される。排水時間は制御部２２のタイマー（図示せず）により一定時間を設定しており、その後、排水が完了後に洗浄モードになり、排水弁１３はそのまま開いており、さらに給水弁９を開け給水することにより水槽７の底部に水道水が全面に流れ、底部に残っていた埃等を洗浄し排水し、１分後に給水弁９を閉じ、その後排水が完了できる時間をあけて排水弁１３も閉じ洗浄モードを終了する。この間加湿フィルタ１７はタイミングモータ１８により回転を停止し、シロッコファン４も停止している。その後、給水弁９を開き、貯留水１６が満水位になるまで給水し、シロッコファン４および加湿フィルタ１７のタイミングモータ１８を回転させて加湿運転中はこれらの一連の動作を繰り返すことになる。ここで、水位検知をフロートスイッチＡ２０ａ、Ｂ２０ｂで行っているが、実施例２のように導電率を検知しても良い。
【００５９】
また、貯留水１６の水位にかかわらず加湿運転を停止した場合は、シロッコファン４および加湿フィルタ１７のタイミングモータ１８を停止させ、排水弁１３を開け排水を開始し、水槽７の貯留水１６は排水口から完全に排水された後に洗浄モードになり、排水弁１３は継続して開いており、さらに給水弁９を開け給水することにより水槽７の底部に水道水が全面に流れ、底部に残っていた埃等を洗浄し排水し、１分後に給水弁９を閉じ、その後排水が完了できる時間をあけて排水弁１３も閉じ洗浄モードを終了し停止状態となる。このことにより水槽７内に埃等を溜めず、かつ、貯留水１６もなく乾燥した状態にするため水槽７を衛生的に保つことができるという効果がある。また、洗浄モードの時にシロッコファン４を停止することにより、送風による新たな埃を吸い込むことなく洗浄できるので衛生的に保つことができるという効果がある。
【００６０】
（実施例６）
図６に示すように、送風手段５であるシロッコファン４と本体６の空気風路３に水槽７を設け、給水手段１１である給水弁９と排水手段１５である排水弁１３と加湿フィルタ１７を連続回転させるタイミングモータ１８とが備えられている。また、水槽７には水位を検知するためのフロートスイッチＡ２０ａ、Ｂ２０ｂからなる水位検知手段２１を設け、本体６には水位検知手段２１の情報をもとに演算してシロッコファン４と給水弁９と排水弁１３および加湿フィルタ１７を回転させるタイミングモータ１８は速度調節機能を有しており、速度調節も含めおのおの制御できる制御部２２からなる演算制御手段２３が設けられた構造としている。
【００６１】
上記構成によれば、加湿運転を開始する時に、送風手段５であるシロッコファン４が回転し、空気が吸込口１から吸い込まれ空気風路３内にある加湿フィルタ１７を通過し吹出口２へ流れ室内へ送風を開始する。水槽７には貯留水１６がないためフロートスイッチＡ２０ａ、Ｂ２０ｂは下端に位置し、演算制御手段２３である制御部２２からの指令により給水弁９を開け、給水口１０から水道水を水槽７に給水する。この給水により水槽７内の貯留水１６水位の上昇に伴い、フロートスイッチＡ２０ａも上昇し上端で満水位であることを検知すると制御部２２から給水弁９を閉にして給水を終了する。加湿フィルタ１７の下部の一部が貯留水１６に浸漬する状態にしてタイミングモータ１８は加湿運転時より早い速度で加湿フィルタ１７を回転させ加湿フィルタ１７の全周表面が確実に保水され（ここで加湿運転時の加湿フィルタの回転数は加湿効率と圧力損失低減の交点で決定され例えば０．１〜１ｒｐｍの場合には速度を２ｒｐｍ以上として３０秒以内で一回転できるような速度を設定する。）、その後にシロッコファン４を運転するため、室内に送風する場合に必ず加湿フィルタ１７が保水され濡れているので加湿フィルタに付着した臭い成分は保水された水に溶け込み臭いを空気中に放出することを抑制でき室内での加湿運転による臭いの不快感を低減できるという効果がある。
【産業上の利用可能性】
【００６２】
本発明は、気化式蒸発による加湿する加湿装置であるが、冷風を送風できる水冷扇の技術分野にも適用可能である。
【図面の簡単な説明】
【００６３】
【図１】本発明の実施例１における加湿装置の内部構造を示す同加湿装置の構成図
【図２】本発明の実施例２における加湿装置の内部構造を示す同加湿装置の構成図
【図３】本発明の実施例３における加湿装置の内部構造を示す同加湿装置の構成図
【図４】本発明の実施例４における加湿装置の内部構造を示す同加湿装置の構成図
【図５】本発明の実施例４における加湿装置の内部構造を示す同加湿装置の構成図
【図６】本発明の実施例４における加湿装置の内部構造を示す同加湿装置の構成図
【図７】従来の加湿装置の内部構造を示す同加湿装置の構成図
【図８】従来の加湿装置の内部構造を示す同加湿装置の構成図
【符号の説明】
【００６４】
１      吸込口
２      吹出口
３      空気風路
４      シロッコファン
５      送風手段
６      本体
７      水槽
８      給水接続口
９      給水弁
１０    給水口
１１    給水手段
１２    排水口
１３    排水弁
１４    排水接続口
１５    排水手段
１６    貯留水
１７    加湿フィルタ
１８    タイミングモータ
１９    回転手段
２０ａ  フロートスイッチＡ
２０ｂ  フロートスイッチＢ
２１    水位検知手段
２２    制御部
２３    演算制御手段
２４    導電率測定部
２５    ノズル
【図１】
2010196971.tif 000003
【図２】
2010196971.tif 000004
【図３】
2010196971.tif 000005
【図４】
2010196971.tif 000006
【図５】
2010196971.tif 000007
【図６】
2010196971.tif 000008
【図７】
2010196971.tif 000009
【図８】
2010196971.tif 000010